(57)【要約】【課題】  バッフルの傾斜が小さく、チェンバーの容積が小さいマウスピースでは、バンクが高くて息が入る部分が狭くなっているため息が入りずらく、音質が硬くなりすぎ、特に高音域では音が細くなって音程を制御しにくい。【解決手段】  シングルリードの木管楽器用のマウスピースであって、リード２１側に対向するバッフル１２の内壁のティップ１４近傍に、そのティップ１４側から見て左右対称でかつ、ティップ側から内側に向けてその数を減少させた複数の凹部列１７を配置している。【選択図】  図１
2005331613.tif 000002
【特許請求の範囲】
【請求項１】
シングルリードの木管楽器用のマウスピースであって、
リード側に対向するバッフルの内壁のティップ近傍に、前記ティップ側から見て左右対称でかつ、前記ティップ側から内側に向けてその数を減少させた複数の凹部列を配置したことを特徴とするマウスピース。
【請求項２】
前記複数の凹部列の前記ティップに最も近い第１列の複数の凹部の深さは、第２列及びそれ以降の凹部列の凹部の深さと同じか、或はそれよりも浅いことを特徴とする請求項１に記載のマウスピース。
【請求項３】
前記複数の凹部列の各凹部の形状は、略同じ形状であることを特徴とする請求項１又は２に記載のマウスピース。
【請求項４】
前記複数の凹部列の各列の凹部の数は、前記ティップに最も近い第１番目の列から順次減少していることを特徴とする請求項１乃至３のいずれか１項に記載のマウスピース。
【請求項５】
前記複数の凹部列の各列の凹部の数は、前記ティップに最も近い列から遠い列に向かって全体的に減少していることを特徴とする請求項１乃至３のいずれか１項に記載のマウスピース。
【請求項６】
前記複数の凹部列は、前記バッフルがリードと略平行となる部分から傾斜する箇所に亘って配置されていることを特徴とする請求項１乃至５のいずれか１項にに記載のマウスピース。
【請求項７】
前記複数の凹部列は、前記ティップ側から見て前記バッフルの中央部に息を集中させる方向に配置されていることを特徴とする請求項１に記載のマウスピース。
【発明の詳細な説明】
【技術分野】
【０００１】
本発明は、サキソフォーン（サックス）やクラリネットなどのシングルリードの木管楽器に接合して用いるマウスピースに関するものである。
【背景技術】
【０００２】
木管楽器の本体頭部に接合して用いられるマウスピースは、リガチャーによりリードが固定された状態で、例えばサックスなどの頭部（ネック）に接合されて使用される。そして演奏時には、このマウスピースの先端部（ティップ）のティップとリードとの隙間（ティップオープニング）から演奏者により息が吹き込まれると、リードの作用により細かく区切られた息の流れにより発生した波動が、マウスピース内のバッフル、チェンバーを通ってサックス本体に送られて音として放射される。
【０００３】
ここでチェンバーの容積が大きくなると音色が暗く太くなり、逆にその容積が小さくなると音色が明るく細くなることが知られている。またバッフルに関しても、ティップ先端（ティップフェイシング）よりチェンバーを構成するマウスピース本体内へ傾斜している角度が大きいと音色が暗くなり、逆にその傾斜角度が小さいと音色が明るくなることが知られている。また、これ以外にも、リードとそれに対向するマウスピース内壁（バンク）との間隔、リードとティップとの間隔（ティップオープニングの間隙）、マウスピース全体の厚さや太さ及び長さ等も、そのマウスピースを装着して使用する楽器の音色に影響したり、音程のコントロールに影響を与えることが知られている。このため、演奏者が演奏し易い状態で、楽器による繊細な演奏表現を可能にするようにマウスピースを調整するのは難しかった。
【０００４】
このようなマウスピースの形状に係る一提案として、特許文献１には、マウスピースのチェンバー内でバッフル側のチェンバー内壁に対向するシングルリード側のチェンバー内壁に、縦長の小突起体を形成したマウスピースが提案されている。
【特許文献１】特開平１−２８８８９９号公報
【発明の開示】
【発明が解決しようとする課題】
【０００５】
比較的暗い音色が要求されるクラシック音楽用のサックスなどでは、バッフルの傾斜角度が大きく、かつチェンバーの容積が大きめに構成されているのに対し、比較的明るい音色が要求されるポップスやフュージョン、ジャズ等で使用されるサックスの場合は、バンクが比較的高く、かつバッフルの傾斜角度も小さ目に設定されている。このようなマウスピースの場合には、前述の特許文献１のように、チェンバー内に突起体を形成してもそれほどの効果が得られなかった。また上述のサックスで使用されるマウスピースの場合は、バンクが高くて息が入る部分が狭くなっているため息が入りずらく、音質が硬くなりすぎ、特に高音域では音が細くなって音程を制御しにくいという問題がある。
【０００６】
本発明は上記問題点に鑑みてなされたもので、演奏者の息が吹き込まれるティップオープニング近傍のバッフル上に複数の凹部からなる凹部列を複数形成することにより、音の安定感が得られ、かつ息の通りを良くしてシャープな音色を発生できるマウスピースを提供することを目的とする。
【課題を解決するための手段】
【０００７】
本発明のマウスピースは以下のような構成を備える。即ち、
シングルリードの木管楽器用のマウスピースであって、
リード側に対向するバッフルの内壁のティップ近傍に、前記ティップ側から見て左右対称でかつ、前記ティップ側から内側に向けてその数を減少させた複数の凹部列を配置したことを特徴とする。
【０００８】
複数の凹部列は、ティップ側から見て前記バッフルの中央部に息を集中させる方向に配置されており、また複数の凹部列の各凹部の形状は、略同じ形状の円形であるのが望ましい。
【０００９】
また複数の凹部列のティップに最も近い第１列の複数の凹部の深さは、第２列及びそれ以降の凹部列の凹部の深さと同じ、或はそれよりも浅くしても良い。また各凹部の形状は、使用する木管楽器の種類、例えば同じサックスであっても、ソプラノサックスやバリトンサックスに応じて変更するのが望ましい。一般的には、マウスピースの形状（バンク高さやチェンバーの容積等）に合わせて変更されるのが望ましい。
【００１０】
また複数の凹部列の各列の凹部の数は、ティップに最も近い列から遠い列に向かって全体的に減少していればよく、凹部の数が同じ列が存在していても良い。
更に、複数の凹部列の各列の凹部の数は、第１番目の列から順次、例えば１つずつ減少していても良い。
【００１１】
更に、複数の凹部列は、バッフルがリードと略平行となる部分から傾斜する箇所に亘って配置されている。
【発明の効果】
【００１２】
本発明によれば、ティップオープニングから息が入って直ぐの領域の容積を広くして、吹き込まれる息の流れを整えることにより、息を入り易くして楽器の音色を制御しやすくなるという効果がある。
【発明を実施するための最良の形態】
【００１３】
以下、添付図面を参照して本発明の好適な実施の形態を詳しく説明する。
【００１４】
図１は、本発明の実施の形態に係るマウスピース１０の構成を説明する図である。
【００１５】
図において、１００は本実施の形態に係るマウスピース１０をリード２１側から見た概観形状を示している。また１１０は概観１００のＡ−Ａ’で切断した場合の断面形状を示している。
【００１６】
１１は開口部で、装着されたリード２１に対向するリードフェイシング面を形成している。１２はバッフルで、ティップ１４とリード２１とで形成される間隙（ティップオープニング）２２の近傍のバンク２３からチェンバー１８の方向に傾斜した内壁を構成している。１３はテーブルで、このテーブル１３の面に、リガチャー（不図示）によりリード２１が固定される。１５はティップ１４と開口部１１との間に設けられたティップレールで、開口部１１の両側のサイドレール１６とともにリード２１を保持している。
【００１７】
１７は、このバッフル１２上に設けられた窪み（凹部）列を示し、図示のように、各列の長さがチェンバー１８の方向に短くなっており、各列が１つ或はそれ以上の凹部を含む複数の列で構成されている。２０はシャンクで、サックス或はクラリネットなどの木管楽器の頭部と接合される部分である。
【００１８】
図２は、図１のＢ−Ｂ’の切断面をティップ１４側から見た断面図である。
【００１９】
図２から明らかなように、バッフル１２のティップ１４側のバンク２３からチェンバー１８側に向けて、バッフル１２の内壁は、その周辺部に対して中央部が少し凹んだ湾曲面を形成している。即ち、バッフル１２は、サイドレール１６に対向している周辺部に対してその中央部が少し凹んだ状態で、チェンバー１８方向に向かって傾斜していることになる。
【００２０】
図３は、本実施の形態に係る凹部列１７を説明する図である。
【００２１】
この実施の形態では、凹部列は３００〜３０３で示す４列で構成されており、第１列目３００は５個の凹部を含み、第２列目３０１は、それよりも１つ少ない４個の凹部を含み、以下同様にして、第４列目３０３は１つの凹部で構成されている。尚、この凹部列の列数及び各列の凹部の数はあくまでも一例を示したもので、本発明はこれらの数に限定されるものでないことはもちろんである。
【００２２】
要するに、演奏者の息が吹き込まれる方向に沿って、各列の凹部の数が減少するように（凹部列を全体としてみた場合に、底辺がティップ１４側にくる略二等辺三角形の形状になる）各凹部列が配置されていれば良い。これにより、演奏者により吹き込まれた息が、ティップオープニング２２側から見たときに、バッフル１２の中心方向に集められるように作用している。尚、凹部の数が等しい列が存在していても、全体としてみた場合に凹部の数が減少していれば良い。
【００２３】
この実施の形態では、各凹部は円形でその径は２〜３ｍｍ、その深さは略１ｍｍ、或はそれ以下としている。
【００２４】
尚、例えばソプラノサックスの場合には、この凹部の形状はより小さく、バリトンサックスの場合には、より大きくするのが望ましい。
【００２５】
また第１列目３００の凹部の深さを他の列３０１〜３０２の凹部の深さよりも浅く（例えば０．３ｍｍ〜０．５ｍｍ）しても良い。また図３では、凹部列の各列はティップフェイシングの形状に合わせて曲線状に配置しているが、直線状に配置されていても良い。
【００２６】
また或は第１列３００の凹部の各窪みの形状を、他の列３０１〜３０３の凹部の形状よりも少し大きくしても良い。
【００２７】
また各凹部の形状は、本実施の形態のように円形であるのが好ましいが、例えば三角形や六角形などの場合でも本実施の形態に近い効果が得られる。尚、凹部を形成する作業効率などを考慮すると円形が望ましい。
【００２８】
尚、第１列目の凹部列３００とティップ先端１４との間隔は、１ｍｍ〜１．５ｍｍが好ましい。
【００２９】
またこの凹部列１７のティップ側に最も近い凹部列３００の長さは、テーブル１３の幅が略１８ｍｍの場合、１５〜１７ｍｍとし、凹部列３００と３０３との間隔は、略１０ｍｍであるのが望ましい。
このように本実施の形態に係るマウスピースによれば、その内壁面を一定の高さに保ちながら、複数の凹部によりチェンバー内の容積を大きくして演奏者の息を入りやすくし、かつ音色が硬くなりすぎず、パワーのある太いサウンドを発生させることができる。
【００３０】
図４は、本実施の形態に係るマウスピース１０をサキソフォーンのネック３２に取り付けた状態を示す概観図である。
【００３１】
図において、３１はリガチャーで、マウスピース１０にリード２１を取り付けるための金具である。マウスピース１０をこのサキソフォーン本体に取り付ける際には、ネック３２の先端部が図１のシャンク２０に挿入されることにより取り付けられる。
【００３２】
以上説明したマウスピースは、バンク２３の位置が高い、即ち、バンク２３とリード２１との間隔が狭いマウスピースにおいて特に有効である。このようなマウスピースは少し息を入れるだけで、ボリュームのある明るい音が出るが、息が入りずらく、音が硬くなりすぎるという欠点があるが、本実施の形態のようにバンク２３部分に窪みを設けることで、ティップオープニングから息が入って直ぐの領域の容積が少しだけ大きくなり、結果的に音色を柔らかくできるという効果がある。
【図面の簡単な説明】
【００３３】
【図１】本発明の実施の形態に係るマウスピースの構成を示す図である。
【図２】図１のＢ−Ｂ’断面形状を示す図である。
【図３】本実施の形態に係る凹部列を説明する図である。
【図４】本実施の形態に係るマウスピースをサキソフォーンのネックに取り付けた状態を示す概観図である。
【図１】
2005331613.tif 000003
【図２】
2005331613.tif 000004
【図３】
2005331613.tif 000005
【図４】
2005331613.tif 000006